(57)【要約】      （修正有）【課題】使用者に合わせて長さを調整しても、ステッキの全体形状が崩れることがないステッキを提供する。【解決手段】ステッキ１は、本体部材２と、本体部材２の一端に取り付け可能なハンドル部材３とを有する。本体部材２は、同径の円柱部分２ａと、円柱部分２ａの下端から先端に向けて細くなるように形成されたテーパー部分２ｂとを備え、円柱部分２ａにハンドル部材３を取り付けるように構成されている。円柱部分２ａには軸孔２ｃが形成されており、ハンドル部材３にも軸孔３ｃが形成されており、これら軸孔２ｃ，３ｃに接続用の棒５を挿入することにより、本体部材２とハンドル部材３とを接続することができるように構成され得る。【選択図】図２
0003195423.tif 000002
【実用新案登録請求の範囲】
【請求項１】
本体部材(2)と、本体部材(2)の一端に取り付け可能なハンドル部材(3)とを有するステッキにおいて、
前記本体部材(2)が、同径の円柱部分(2a)と、前記円柱部分(2a)の下端から先端に向けて細くなるように形成されたテーパー部分(2b)とを備え、
前記円柱部分(2a)に前記ハンドル部材(3)を取り付けるように構成されている
ことを特徴とするステッキ。
【請求項２】
前記円柱部分(2a)には軸孔(2c)が形成されており、前記ハンドル部材(3)にも軸孔(3c)が形成されており、これら軸孔(2c,3c)に接続用の棒(5)を挿入することにより、本体部材(2)とハンドル部材(3)とを接続することができるように構成した
ことを特徴とする請求項１に記載のステッキ。
【請求項３】
前記接続用の棒(5)は中心に軸孔(5a)が形成されており、該軸孔(5a)に補強用の金属棒(6)を挿入することができるように構成した
ことを特徴とする請求項２に記載のステッキ。
【考案の詳細な説明】
【技術分野】
【０００１】
本考案は、ステッキの改良に関する。
【背景技術】
【０００２】
従来から、杖、即ち、ステッキが利用されている。
ステッキの利用目的には主として二つの目的があり、一つは、歩行補助用のための器具としての利用であり、もう一つはファッションアイテムの一つとして楽しむ装身具としての利用である。
補助歩行用器具として考えると、軽量化をしたり、折り畳み可能として持ち運びを便利にしたり、さらには、クッション性を高める等の様々な改良が考えられ、現に、これらの目的を達成するために様々な提案がなされている（特許文献１及び２）。
【先行技術文献】
【特許文献】
【０００３】
【特許文献１】特開２０１４−４１１４号公報
【特許文献２】特開２００７−２８２９８６号公報
【考案の概要】
【考案が解決しようとする課題】
【０００４】
しかし、ステッキを補助歩行用器具としてではなく純粋な装身具として持つ人も多数存在し、また、たとえ補助歩行用器具として利用する場合であっても装身具の一つとして楽しむこともできるので、機能性だけでなく、その外観についても様々な提案がされるべきであるところ、現実には、機能性についての提案が殆どであり、装身具としての提案は殆どされていない。
装身具としてのステッキは、その全体の形状が美しく見えるように計算されて製造されている一方で、使用する人の身長等に合わせて長さを調整する必要がある。
具体的には、装身具としてのステッキは、その全体形状がスマートに美しく見えるように、その手元から先端に向けて緩やかに細くなるように全体がテーパー状に形成されている（図５（ａ）参照）。これにより、ステッキは全体形状がスマートに見えるようになる。
しかし、上記したようにステッキは、装身具として用いる場合であっても、使用する人の身長に合わせて長さを調整する必要があるため、背の高い人から背の低い人まで対応ができるように通常は少し長めに作られて、使用する人に合わせて切断される。
しかしながら、ステッキは、上記したように全体がテーパー状に形成されているため、手元部分を切断すると、ハンドル部分を接続する部分の径が太くなってしまうため、ハンドル部分とステッキ本体との間に段差が生まれてしまい、これを合わせるために再度加工するのは相当の手間と時間がかかるという問題がある。
これに対して、先端部であれば、石突の形状を加工するだけでよいので調整のための手間と時間は少なくて済むため、従来は、ステッキの長さを調整するために先端を切断するのが一般的であった。ところが、上記したようにステッキは、全体形状がスマートに美しく見えるように全体がテーパー状に形成されているため、先端部を切断してしまうと、先端が太くなり、結果として全体が太くなった印象を受けるようになり、ステッキの全体形状が崩れ、外観が悪くなるという問題がある（図５（ｂ）参照）。
これは、ステッキを装身具として考えた場合には致命的な問題である。
個々にオーダーメイドで作成すれば問題ないが、実際には、ステッキは材料となる木の乾燥、最高の木目が得られる材料の選定、その材料からステッキの原料となる細木の切り出し、さらには、その細木の加工等、相当の時間と手間をかけて完成されるため、個々に完全にオーダーメイドで作成するのは極めて困難である。
考案者は、上記した従来の問題点に鑑みて、装身具としてのステッキについて鋭意研究を重ね、少なくとも全体形状がステッキとして完成した状態で、使用者に合わせて長さを調整しても、ステッキの全体形状が崩れることがないステッキが提供されるべきであると考えた。
本考案は、使用者に合わせて長さを調整しても、ステッキの全体形状が崩れることがないステッキを提供することを目的としている。
【課題を解決するための手段】
【０００５】
上記した目的を達成するために、本考案に係るステッキは、本体部材と、本体部材の一端に取り付け可能なハンドル部材とを有するステッキにおいて、前記本体部材が、同径の円柱部分と、前記円柱部分の下端から先端に向けて細くなるように形成されたテーパー部分とを備え、前記円柱部分に前記ハンドル部材を取り付けるように構成されていることを特徴とする。
また、前記円柱部分に軸孔を形成し、前記ハンドル部材にも軸孔を形成し、これら軸孔に接続用の棒を挿入することにより、本体部材とハンドル部材とを接続することができるように構成することができる。
さらに、前記接続用の棒の中心に軸孔を形成し、該軸孔に補強用の金属棒を挿入することができるように構成してもよい。
【考案の効果】
【０００６】
本考案に係るステッキは、本体部材と、本体部材の一端に取り付け可能なハンドル部材とを有するステッキにおいて、前記本体部材が、同径の円柱部分と、前記円柱部分の下端から先端に向けて細くなるように形成されたテーパー部分とを備え、前記円柱部分に前記ハンドル部材を取り付けるように構成されているので、前記同径の円柱部分を切断することでステッキ全体の長さの調整をすることができる。ステッキの全体形状は、先細になるテーパー形状によって決まるため、テーパー部分を変えることなく長さを調整することでステッキ全体の形状を崩すことがない。
前記円柱部分に軸孔を形成し、前記ハンドル部分にも軸孔を形成し、これら軸孔に接続用の棒を挿入することにより、本体部材とハンドル部材とが接続できるように構成することで、熟練者でなくても、簡単にステッキの長さ調整を行うことが可能になる。
前記接続用の棒に軸孔を形成し、該軸孔に金属棒を挿入することができるように構成することで、本体部材とハンドル部材との接続部分の強度を高めることができる。
【図面の簡単な説明】
【０００７】
【図１】本考案に係るステッキの外観図である。
【図２】図１に示したステッキの概略軸方向断面図である。
【図３】図１に示したステッキの組立図である。
【図４】図１に示したステッキの長さ調整方法を示す図である。
【図５】従来のステッキの長さ調整方法を示す図である。
【考案を実施するための形態】
【０００８】
以下、添付図面に示した一実施例を参照しながら本考案に係るステッキの実施の形態について説明していく。
【０００９】
図１は本考案に係るステッキの外観図であり、図２は図１に示したステッキの軸方向断面図である。
図中符号１は、ステッキ全体を示している。図面に示すように、ステッキ１は、細長い本体部材２と、本体部分２の一端に接続されるハンドル部材３とから成る。
本体部材２は、同径の円柱部分２ａと、円柱部分２ａの下端から本体部分２の先端に向かって細くなるテーパー部分２ｂとから成る。
テーパー部分２ｂの先端には石突４が固定されている。
上記したように構成された本体部材２の円柱部分２ａには、軸孔２ｃが形成されている。
ハンドル部材３は、グリップ部３ａと、本体部材２に接続される連結部３ｂとから成り、前記連結部３ｂには軸孔３ｃが形成されている。
本体部材２とハンドル部材３とは、各軸孔２ｃ及び３ｃに連結棒５を挿入することによって連結される。連結棒５は軸孔５ａを有し、その軸孔５ａに補強用金属棒６が挿入可能に構成されている。
上記したように構成されたステッキ１は、図３に示すように、連結棒５の軸孔５ａに金属棒６を挿入した後、該連結棒５を、本体部材２及びハンドル部材３の軸孔２ｃ及び３ｃに挿入した後、接着剤等で接着することによって、本体部材２とハンドル部材３とを接続することで完成する。
【００１０】
次に、上記したように構成されたステッキの長さ調整の方法について説明する。
使用する人の長さに合わせて、ステッキを短く切断する場合、図４に示すように本体部材２の円柱部分２ａの部分を切断し、かつ、連結棒５及び金属棒６も切断した円柱部材２ａの軸孔２ｃの長さに合わせて適当な長さに切断する。
本体部材２の円柱部分２ａは同径であるため、どの部分で切断をしても、ハンドル部材３の連結部３ｂとずれることがない。
ステッキ１の全体形状は、本体部材２のテーパー部分２ｂによって決まるものであるところ、テーパー部分２ｂは全く切断しないため長さ調整後もステッキ１の全体形状が崩れることがない。
上記したように、本考案に係るステッキによれば、長さ調整のために本体部材２の円柱部分２ａ、連結棒５及び金属棒６を切断するだけでよく、市販されている工具類で充分事を足りて、特別な工具加工は一切必要ないため、熟練の技術がなくても、簡単に長さ調整をすることが可能になる。
これにより、例えば、プレゼントとしてステッキを購入する場合でも、プレゼントをする人が、自ら相手の体型に合わせてステッキの長さを調整することができるようになる。
【符号の説明】
【００１１】
１  ステッキ全体
２  本体部材
２ａ  円柱部分
２ｂ  テーパー部分
２ｃ  軸孔
３  ハンドル部材
３ａ  グリップ部
３ｂ  連結部
３ｃ  軸孔
４  石突
５  連結棒
５ａ  軸孔
６  補強用金属棒
【図１】
0003195423.tif 000003
【図２】
0003195423.tif 000004
【図３】
0003195423.tif 000005
【図４】
0003195423.tif 000006
【図５】
0003195423.tif 000007